(57)【特許請求の範囲】
【請求項１】
生ゴミを粉砕して固形分と液体分との粉砕物にするディスポーザーと，粉砕物の固液分離を行う固液分離部と，固液分離された固形分を堆肥化する固体処理部と，固液分離された液体分を貯留する浄化槽を備えて，当該浄化槽に貯留された液体を浄化して排水する液体処理部とを有した生ゴミ処理システムにおいて，
前記固液分離部が，前記浄化槽の底に一端が位置し，前記固体処理部の上部に他端が位置するように配設され，かつ，液体を透過するベルトを備えたベルトコンベヤを有し，前記ベルトにより前記ディスポーザーからの粉砕物を受止めると共に，当該ベルトにより前記浄化槽中の汚泥を掬い揚げて前記固体処理部に搬送する際に，前記粉砕物及び汚泥の液体分が前記ベルトを透過して前記液体処理部に滴下することにより固液分離を行うことを特徴とする生ゴミ処理システム。
【発明の詳細な説明】
【０００１】
【発明の属する技術分野】
本発明は，生ゴミを固液分離して，液体分及び固体分を各々処埋する生ゴミ処理システムに関する。
【０００２】
【従来の技術】
台所等で発生する生ゴミを処理する生ゴミ処理システムとして，例えば実開昭５８−９６３９号公報かかる生ゴミ処理システムがある。
【０００３】
当該生ゴミ処理システムは，生ゴミを粉砕するディスポーザー，当該ディスポーザーの下流に配設さて破砕された生ゴミ（以下，粉砕物という）を固体分（以下，固形物という）と液体分（以下，濁水という）とに分離する固液分離部等を有している。
【０００４】
そして，分離された固形物は袋に貯留されて廃棄され，また濁水は下水等に排水される。
【０００５】
【発明が解決しようとする課題】
しかしながら上記構成では，固液分離，汚泥除去等をそれぞれ独立した装置で行う必要があった。
【０００６】
また，汚泥を脱水することができないために，固体処理することができない問題があった。
【０００７】
そこで本発明は，固液分離及び汚泥除去等を１台の装置で行えるようにすると共に，汚泥等の脱水を可能にして固体処理することが可能な生ゴミ処理システムを提供することを目的とする。
【０００８】
【課題を解決するための手段】
上記課題を解決するために，請求項１にかかる発明は，生ゴミを粉砕して固形分と液体分との粉砕物にするディスポーザーと，粉砕物の固液分離を行う固液分離部と，固液分離された固形分を堆肥化する固体処理部と，固液分離された液体分を貯留する浄化槽を備えて，当該浄化槽に貯留された液体を浄化して排水する液体処理部とを有した生ゴミ処理システムにおいて，固液分離部が，浄化槽の底に一端が位置し，固体処理部の上部に他端が位置するように配設され，かつ，液体を透過するベルトを備えたベルトコンベヤを有し，ベルトによりディスポーザーからの粉砕物を受止めると共に，当該ベルトにより浄化槽中の汚泥を掬い揚げて固体処理部に搬送する際に，粉砕物及び汚泥の液体分がベルトを透過して液体処理部に滴下することにより固液分離を行うことを特徴とする。
【０００９】
即ち，液体を透過するベルトを有したベルトコンベヤの一端を浄化槽の底に配設し，他端を固体処理部の上部に配設する。そして，ディスポーザーからの粉砕物をベルトコンベヤで直接受止め固体処理部に搬送する。また浄化槽に貯留された液体には，汚泥等が含まれるので，これらをベルトコンベヤにより掬い固体処理部に搬送する。このとき，ベルトは液体を透過させるので，当該粉砕物，汚泥等の液体分はベルトを透過して液体処理部の浄化槽に滴下する。これにより粉砕物は固液分離される。このような固液分離された粉砕物をさらに搬送して固体処理部に移送する際に，当該固形物は脱水される。一方，固液分離した液体分は，曝気装置により浄化されて，排水装置により浄化された水のみが選択的に吸水されて排水されることを特徴とする。
【００１２】
【発明の実施の形態】
本発明の第１の実施の形態を図面に基づいて説明する。図１は流し台に接続された本実施の形態にかかる生ゴミ処理システムの構成を示す側面図であり，図２は当該生ゴミ処理システムの上面図である。
【００１３】
生ゴミ処理システムは，流し台１０のシンク１１から廃棄された生ゴミを細かく粉砕するディスポーザー２０，該ディスポーザー２０により粉砕された生ゴミ等を固形物と濁水とに分離して搬送するベルトコンベヤ３０，濁水を浄化して排水する液体処理部４０，固形物を堆肥化する固体処理部５０等を有している。
【００１４】
そしてディスポーザー２０は，シンク１１の下部に配設され，ベルトコンベヤ３０，液体処理部４０及び固体処理部５０は屋外に配設された本体ケース６０に収納されて，移送管２２によりディスポーザー２０で粉砕された生ゴミがベルトコンベヤ３０に移送されるようになっている。
【００１５】
ディスポーザー２０は，シンク１１からゴミを生ゴミ処理してから排水管１２に流すか，直接流すかを選択する電磁弁２１，生ゴミ処理システムを動作させるスイッチ２３等を有している。
【００１６】
液体処理部４０は，固液分離された濁水を貯留する浄化槽４１，該浄化槽４１の下部に設けられて，当該浄化槽４１に貯留された濁水を曝気して浄化する曝気装置４２，該曝気装置４２に空気を送るエアーポンプ４３，浄化槽４１の水位を検出する水位センサー４４，フィルタ４５を介して浄化槽４１で浄化された浄化水を排水管１２に排水する排水ポンプ４６等を有している。
【００１７】
固体処理部５０は，固液分離されて移送された固形物を貯留する処理槽５１，固形物を攪拌する攪拌体５２，電動機５３ａ，電動機５３ａの回転数を減速して攪拌体５２を回動させる減速器５３ｂ，電動機５３ａ及び減速器５３ｂを被うと共に，これらが発する騒音を外部に漏れないようにするカバー５３ｃを具備した攪拌体回動装置５３，処理槽５１の底面に設けられたシャッター５４，当該シャッター５４の下に設けられた合成樹脂製の容器５５，及び図示しないヒータ等を有している。
【００１８】
またベルトコンベヤ３０は，図示しないモータにより回動するベルト３１，当該ベルトコンベヤ３０の上端裏側（処理槽５１側）に設けられて，ベルト３１に付着している固形物を掻落す掻落し板３２等を有している。
【００１９】
そしてベルトコンベヤ３０の下端は浄化槽４１の底に配設され，また上端は固体処理部５０の上部に位置するように設けられて，浄化槽４１に溜った汚泥及びスカム等を掬い揚げて搬送すると共に，移送管２２により移送された粉砕物を受止めて搬送する。
【００２０】
なお，搬送中に粉砕物，汚泥等の固液分離を行ために，ベルトは液体が透過する部材から構成されている。かかる部材として，多孔質スポンジの吸水ポリビニールアルコール系スポンジ等が用いられる。
【００２１】
無論，本発明はこれらに限定するものではなく，上述した固形物及び汚泥等を脱水できるものであればよいことは付言するまでもない。
【００２２】
図３は，図２における矢視ＡＡ方向からみた浄化槽４１の浄化槽底部４７を詳細に示した図である。当該浄化槽底部４７には，ベルトコンベヤ３０の下端が位置し，浄化槽底部４７は，ベルトコンベヤ３０に向って幅を小さくしている。
【００２３】
従って，浄化槽底部４７は，ベルトコンベヤ３０の幅方向及びベルトコンベヤ３０の搬送方向（図１を参照されたい）の両方からその幅が小さくなっている。
【００２４】
これにより，浄化槽底部４７に沈殿している固形物及び汚泥等がベルトコンベヤ３０の周辺に集められて，効率的に掬い揚げることが可能になっている。
【００２５】
次に上記構成に基づき生ゴミ処理の動作を説明する。生ゴミ処理を行う場合には，スイッチ２３を投入して，生ゴミ処理システムを起動させる。これにより電磁弁２１が動作し，シンク１１から廃棄された生ゴミがディスポーザー２０で粉砕されて移送管２２によりベルトコンベヤ３０に移送されるようになる。
【００２６】
なお，移送管２２は所定量傾斜して配設されているので，別途動力等を用いなくても粉砕された生ゴミをベルトコンベヤ３０に移送することが可能になっている。
【００２７】
生ゴミ処理しない場合（例えば，真水を流す場合等）には，スイッチ２３は投入されない。この場合には，電磁弁２１は動作せず，排水等はそのまま排水管１２に流れ込むようになっている。
【００２８】
移送管２２により移送された粉砕物は，ベルトコンベヤ３０上に落下して受止められる。
【００２９】
当該ベルトコンベヤ３０のベルト３１は，多孔質性を有して水分を透過させるので，当該ベルト３１により固体処理部５０に搬送される途中で固液分離が行われ，さらに搬送されることにより脱水が行われる。脱水された濁水は，浄化槽４１に貯留される。
【００３０】
この濁水には微少な固形物が含まれるので，曝気装置４２がエアーポンプ４３で吸気した空気を当該貯留された濁水に吹込む。これにより当該濁水は，活性化して活性汚泥が発生し，それが浄化槽４１の底に沈殿するようになる。
【００３１】
浄化槽４１の底にはベルトコンベヤ３０の一端が設けられているので，沈殿してきた汚泥等は当該ベルトコンベヤ３０により掬われ，そして脱水されながら固体処理部５０に搬送される。
【００３２】
このようにして浄化された水の水位が所定水位に達すると，水位センサー４４がこれを検知して，電磁弁４６が開弁する。そしてフィルタ４５を介して浄化された水が排水管１２に排水される。
【００３３】
なお，フィルタ４５の目は，所定の径（例えば，０．４μｍ）より小さく設定され，当該目の大きさは，フロックやスカム等の汚泥より小さいので，当該フィルタ４５を介して排水される水は浄化された水のみとなる。このような構成により，排水の濁度を３００ｍｇ／リットル以下にすることが可能になっている。
【００３４】
一方，ベルトコンベヤ３０により固体処理部５０に脱水されて搬送された固形物及び汚泥等（以下，これらを総称して単に固形物という）は，当該固体処理部５０で堆肥化される。
【００３５】
処理槽５１には，固形物を分解して当該固形物を二酸化炭素と水に分解して堆肥化する微生物が付着した大鋸屑等の木質細片及び活性炭からなる担体が入れられている。そして，固形物と当該担体とは，攪拌体５２により混ぜられると共に内部に空気が導入される。
【００３６】
このような，固形物と担体との混合物は，ヒーターにより所定温度（本実施形態では摂氏３０度から４０度）に維持されて，微生物等の活性化を促進している。
【００３７】
なお，エアーポンプ４３が曝気装置４２に送風する空気は，処理槽５１の空気を吸引して，曝気装置５２に送るようにするならば，当該処理槽５１で固形物を堆肥化する際に発生した悪臭が外部に漏れることがなくなる利点がある。
【００３８】
以上説明したように，本実施の形態にかかる生ゴミ処理システムによれば，ベルトコンベヤ１台で，固液分離，脱水，搬送等を行うことが可能になり，装置を安価にする事ができるようになると共に，保守点検項目が少なくなる分これらの作業を容易にすることが可能になる。
【００３９】
次に本発明の第２の実施の形態を図を参照して説明する。図４は流し台に接続された本実施の形態にかかる生ゴミ処理システムの構成を示す側面図であり，図５は当該生ゴミ処理システムの上面図である。
【００４０】
生ゴミ処理システムは，流し台１０のシンク１１から廃棄された生ゴミを細かく粉砕するディスポーザー２０，該ディスポーザー２０により粉砕された生ゴミを固形物と濁水とに分離して搬送するスパイラル移送装置３０，濁水を浄化して排水する液体処理部４０，固形物を堆肥化する固体処理部５０等を有している。
【００４１】
そしてディスポーザー２０は，シンク１１の下部に配設され，スパいらす移送装置３０，液体処理部４０及び固体処理部５０は屋外に配設された本体ケース６０に収納されて，移送管２２によりディスポーザー２０で粉砕された生ゴミがスパイラル移送装置３０に移送されるようになっている。
【００４２】
ディスポーザー２０は，シンク１１からゴミを生ゴミ処理してから排水管１２に流すか，直接流すかを選択する電磁弁２１，生ゴミ処理システムを動作させるスイッチ２３等を有している。
【００４３】
液体処理部４０は，濁水を貯留する浄化槽４８，該浄化槽４８の下部に設けられて，当該浄化槽４８に貯留された濁水を曝気して浄化する曝気装置４２，該曝気装置４２に空気を送るエアーポンプ４３，浄化槽４８の水位を検出する水位センサー４４，フィルタ４５を介して浄化槽４８で浄化された浄化水を排水管１２に排水する排水ポンプ４６等を有している。
【００４４】
固体処理部５０は，固液分離されて移送された固形物を貯留する処理槽５１，固形物を攪拌する攪拌体５２，電動機５３ａ，電動機５３ａの回転数を減速して攪拌体５２を回動させる減速器５３ｂ，電動機５３ａ及び減速器５３ｂを被うと共に，これらが発する騒音を外部に漏れないようにするカバー５３ｃを具備した攪拌体回動装置５３，処理槽５１の底面に設けられたシャッター５４，当該シャッター５４の下に設けられた合成樹脂製の容器５５，及び図示しないヒータ等を有している。
【００４５】
スパイラル移送装置７０は，モータ７１により回動するスパイラル回転体７２，当該スパイラル回転体７２の鞘である収納管７３，当該収納管７３に連通して，脱水された固形物を固体処理部５０に送る固形物投入管７４，収納管７３の下部に設けられて沈殿した汚泥等が取入れられる取入口７５等を有している。そして，取入口７５が設けられているスパイラル移送装置３０の下部は，該浄化槽４８の底に配設されている。
【００４６】
スパイラル回転体７２には，図４に示すように螺旋状の溝７６が形成され，当該スパイラル回転体７２と収納管７３とは略接した状態になっている。無論，スパイラル回転体７２が回転するために隙間は確保されているが，固形物が当該隙間を通り落下するほどの大きな隙間ではない。
【００４７】
従って，モータ７１が動作してスパイラル回転体７２が回転すると，溝７６と収納管７３との間に取込まれら汚泥や固形物等は，当該溝７６に従って移送され，その際に濁水が滴下して固液分離されると共に，さらに移送されることにより脱水される。そして固形物投入管７４から固体処理部５０に投入される。
【００４８】
図６は，図５における矢視ＡＡ方向からみた浄化槽４８の浄化槽底部４９を詳細に示した図である。当該浄化槽底部４９には，スパイラル移送装置７０の下端が位置して取入口７５に向って幅が小さくなっている。
【００４９】
従って，浄化槽底部４９は，四方から幅が狭くなり（図４も参照されたい），これにより，浄化槽４８の底に沈殿している固形物及び汚泥等がスパイラル移送装置７０の下端に集められて，取入口７５からスパイラル回転体７２により取込まれ，そして固液分離及び脱水されながら効率的に固体処理部５０に移送されるようになっている。
【００５０】
次に上記構成に基づき生ゴミ処理の動作を説明する。生ゴミ処理を行う場合には，スイッチ２３を投入して，生ゴミ処理システムを起動させる。これにより電磁弁２３が動作し，シンク１１から廃棄された生ゴミがディスポーザー２０で粉砕されて移送管２２によりスパイラル移送装置７０に移送されるようになる。
【００５１】
なお，移送管２２は所定量傾斜して配設されているので，別途動力等を用いなくても粉砕された生ゴミをスパイラル移送装置７０に移送することが可能になっている。
【００５２】
生ゴミ処理しない場合（例えば，真水を流す場合等）には，スイッチ２３は投入されない。この場合には，電磁弁２３は動作せず，排水等はそのまま排水管１２に流れ込むようになっている。
【００５３】
移送管２２により移送された粉砕物は，収納管７３内に投入される。このとき濁水や微少な固形物は，スパイラル回転体７２と収納管７３との隙間から滴下して，浄化槽４８に貯留されるようになる。
【００５４】
一方，スパイラル回転体７２と収納管７３との隙間から滴下できない大きさの固形物は，溝７６にガイドされながら固液分離され，さらに移送されることにより脱水されて，固形物投入管７４に押上げられる。
【００５５】
濁水には微少な固形物が含まれるので，曝気装置４２がエアーポンプ４３で吸気した空気を当該貯留された濁水に吹込む。これにより当該濁水は，活性化して活性汚泥が発生し，それが浄化槽４８の底に沈殿するようになる。
【００５６】
なお，エアーポンプ４３は，処理槽５１に設けた吸気口５６から当該処理槽５１の空気を吸引して，曝気装置４２に送るようになっている。
【００５７】
これは，処理槽５１で，固形物が堆肥化する際に悪臭が発生するため，当該悪臭が外部に漏れると利用者等に不快感を与えるので，この臭気を含む空気をエアーポンプ４３が吸気して外部に漏れないようにしている。そして，かかる空気は浄化槽４８の濁水に吹込まれるので，当該濁水により脱臭されるようになる。
【００５８】
浄化槽４８の底には，スパイラル移送装置７０の取入口７５が設けられているので，沈殿した汚泥等は当該取入口７５からスパイラル回転体７２により掬われ，そして固液分離及び脱水されながら固体処理部５０に搬送される。
【００５９】
このようにして浄化された浄化槽の水位が所定水位に達すると，水位センサー４４がこれを検知して，電磁弁４６が開弁する。そしてフィルタ４５を介して浄化された水が排水管１２に排水される。
【００６０】
なお，フィルタ４５の目は，所定の径（例えば，０．４μｍ）より小さく設定され，当該目の大きさは，フロックやスカム等の汚泥より小さいので，当該フィルタ４５を介して排水される水は浄化された水のみとなる。このような構成により，排水の濁度を３００ｍｇ／リットル以下のすることが可能になっている。
【００６１】
一方，スパイラル移送装置７０により固体処理部５０に脱水されて搬送された固形物及び汚泥等（以下，これらを総称して単に固形物という）は，当該固体処理部５０で堆肥化される。
【００６２】
処理槽５１には，固形物を分解して当該固形物を二酸化炭素と水に分解して堆肥化する微生物が付着した大鋸屑等の木質細片及び活性炭からなる担体が入れられている。そして，固形物と当該担体とは，攪拌体５２により混ぜられると共に内部に空気が導入される。
【００６３】
このような，固形物と担体との混合物は，ヒーターにより所定温度（本実施形態では摂氏３０度から４０度）に維持されて，微生物等の活性化を促進している。
【００６４】
なお，エアーポンプ４３が曝気装置４２に送風する空気は，処理槽５１の空気を吸引して，曝気装置５２に送るようにするならば，当該処理槽５１で固形物を堆肥化する際に発生した悪臭が外部に漏れることがなくなる利点がある。
【００６５】
以上説明したように，本実施の形態にかかる生ゴミ処理システムによれば，スパイラル装置１台で，固液分離，脱水，搬送等を行うことが可能になり，装置を安価にする事ができるようになると共に，保守点検項目が少なくなる分これらの作業を容易にすることが可能になる。
【００６６】
【発明の効果】
請求項１にかかる発明によれば，浄化槽の底に一端が配設されたベルトコンベヤにより粉砕物を受止め，また汚泥やスカム等をベルトコンベヤで掬い揚げて，これらを搬送中に液体分を滴下させて固液分離を行うようにしたので，１台のベルトコンベヤで粉砕物及び汚泥等を固液分離しながら固体処理部に移送することが可能なり，装置の構成を簡単にすることができる。
【図面の簡単な説明】
【図１】本発明の第１の実施の形態にかかる生ゴミ処理システムの概略構成を示す側面図である。
【図２】図１の生ゴミ処理システムの上面図である。
【図３】図１の浄化槽底部の構成を示す部分断面図である。
【図４】本発明の第２の実施の形態にかかる生ゴミ処理システムの概略構成を示す側面図である。
【図５】図５の生ゴミ処理システムの上面図である。
【図６】図５の浄化槽底部の構成を示す部分断面図である。
【符号の説明】
２０  ディスポーザー
４０  液体処理部
４１  浄化槽
４２  曝気装置
４４  排水ポンプ
５０  固体処理部
５１  処理槽
５２  攪拌体
３０  ベルトコンベヤ
３１  ベルト
３２  掻落し板
７０  スパイラル移送装置
７２  スパイラル回転体
７４  収納管
７５  取入口
７６  溝
【図１】
0003691186.tif 000002
【図２】
0003691186.tif 000003
【図３】
0003691186.tif 000004
【図４】
0003691186.tif 000005
【図５】
0003691186.tif 000006
【図６】
0003691186.tif 000007